(57)【要約】【課題】ＢＤ型構成の光記録媒体を含む光記録媒体に適用可能な光学ピックアップ装置、光記録再生装置において、記録トラックに最適な形状でビームスポットを照射して良好な記録再生特性を保持する。【解決手段】光源に半導体レーザーを備え、その活性層に平行な方向が光記録媒体の盤面に略平行に配置される場合に、半導体レーザーから出射される光線を光記録媒体の盤面に略垂直な方向に反射面により反射した後、対物レンズを介して光記録媒体に、少なくとも波長４００ｎｍ以上４１５ｎｍ以下の光を照射して記録及び／又は再生を行う光学ピックアップ装置であって、上記反射面に入射する光線の方向と上記光記録媒体の記録トラックの延長方向とのなす角度θを、４５°≦θ＜９０°とする。【選択図】図３
2006048794.tif 000002
【特許請求の範囲】
【請求項１】
光源に半導体レーザーを備え、上記半導体レーザーの活性層に平行な方向が光記録媒体の盤面に略平行に配置され、上記半導体レーザーから出射される光線を上記光記録媒体の盤面に略垂直な方向に反射面により反射した後、対物レンズを介して上記光記録媒体に、少なくとも波長４００ｎｍ以上４１５ｎｍ以下の光を照射して記録及び／又は再生を行う光学ピックアップ装置であって、
上記反射面に入射する光線の方向と上記光記録媒体の記録トラックの延長方向とのなす角度θが、
４５°≦θ＜９０°
とされて成る
ことを特徴とする光学ピックアップ装置。
【請求項２】
上記角度θが、
４５°≦θ≦５５°
とされて成る
ことを特徴とする請求項１記載の光学ピックアップ装置。
【請求項３】
上記半導体レーザーから出射される光の活性層に垂直なファーフィールドパターンの広がり角をθ⊥とし、上記活性層と平行なファーフィールドパターンの広がり角をθ//とすると、
２≦θ⊥／θ//≦４
とされて成る
ことを特徴とする請求項１記載の光学ピックアップ装置。
【請求項４】
上記半導体レーザーから出射される光の活性層に垂直なファーフィールドパターンの広がり角をθ⊥とし、上記活性層と平行なファーフィールドパターンの広がり角をθ//とすると、
２≦θ⊥／θ//≦４
とされて成る
ことを特徴とする請求項２記載の光学ピックアップ装置。
【請求項５】
光源に半導体レーザーを備え、上記半導体レーザーの活性層に平行な方向が光記録媒体の盤面に略平行に配置され、上記半導体レーザーから出射される光線を上記光記録媒体の盤面に略垂直な方向に反射面により反射した後、対物レンズを介して上記光記録媒体に、少なくとも波長４００ｎｍ以上４１５ｎｍ以下の光を照射して記録及び／又は再生を行う光学ピックアップ装置を有する光記録再生装置であって、
上記反射面に入射する光線の方向と上記光記録媒体の記録トラックの延長方向とのなす角度θが、
４５°≦θ＜９０°
とされて成る
ことを特徴とする光記録再生装置。
【請求項６】
上記角度θが、
４５°≦θ≦５５°
とされて成る
ことを特徴とする請求項５記載の光記録再生装置。
【請求項７】
光源に半導体レーザーを備え、上記半導体レーザーの活性層に平行な方向が光記録媒体の盤面に略平行に配置され、上記半導体レーザーから出射される光線を上記光記録媒体の盤面に略垂直な方向に反射面により反射した後、対物レンズを介して上記光記録媒体に、少なくとも波長４００ｎｍ以上４１５ｎｍ以下の光を照射して記録及び／又は再生を行う光記録再生方法であって、
上記反射面に入射する光線の方向と上記光記録媒体の記録トラックの延長方向とのなす角度θが、
４５°≦θ＜９０°
とする
ことを特徴とする光記録再生方法。
【請求項８】
上記角度θを、
４５°≦θ≦５５°
とする
ことを特徴とする請求項７記載の光記録再生方法。
【発明の詳細な説明】
【技術分野】
【０００１】
本発明は、特に記録密度が高く、トラックピッチが微小化された光記録媒体の記録及び／又は再生を少なくとも行う場合に適用して好適な光学ピックアップ装置、光記録再生装置及び光記録再生方法に関する。
【背景技術】
【０００２】
近年、光記録媒体において、記録密度が異なる種々のタイプの光記録媒体が開発されており、例えばディスク状の光記録媒体では、例えばレーザー光の使用波長が７８０ｎｍ付近であるＣＤ（Compact Disc）、使用波長が６６０ｎｍ付近であるＤＶＤ（Digital Versatile Disc）、使用波長が４０５ｎｍ付近であるＢＤ（Blu-ray Disc）、同様に使用波長が４０５ｎｍ付近であるＨＤ−ＤＶＤ（High Definition DVD）等が挙げられる。
【０００３】
これらの光記録媒体においてはその構造がそれぞれ異なり、記録密度を上げるために、ＣＤ型光記録媒体では１．６μｍであったトラックピッチがＤＶＤ型光記録媒体においては０．７４μｍ、ＢＤ型光記録媒体では０．３〜０．３５μｍ程度にトラックピッチが微小化されている。
このように幅が微細化された記録トラックに対し、光源から出射された光を無駄なく、かつ最適なスポット形状で照射することが望まれる。これは、記録再生特性を良好に保つための条件であり、ビームスポット形状が記録トラック幅等の条件に最適化されていない場合は、記録再生特性の低下を招く。
【０００４】
光記録媒体の記録及び／又は再生用の光を、その光路上で適切なビーム形状に整形する方法としては、半導体レーザーから出射した光のファーフィールドパターンのビーム強度分布の方向をレーザーの光軸を中心として半導体レーザーの回転により調整する方法、あるいは例えばアナモルフィックプリズムなどのビーム形状整形素子を用いて、ビームスポット形状を最適化する方法が提案されている（例えば特許文献１参照。）。
上記特許文献１に記載の方法は、検出素子上のスポットサイズの変化を検出してフォーカスエラー信号を得るいわゆるスポットサイズ法を利用する場合に、検出素子に形成するスポットを、ディスク状光記録媒体の半径方向に対応する方向のスポットサイズが最小となるようにすることによって、安定な信号検出を可能とするものである。
【０００５】
【特許文献１】特開２００２−９２９３２号公報
【発明の開示】
【発明が解決しようとする課題】
【０００６】
しかしながら、上述のような半導体レーザーから出射した光のファーフィールドパターンのビーム強度分布の方向を半導体レーザーの回転により調整する方法に関しては、半導体レーザーを回転することに自由度のない場合、例えば薄型のピックアップ用に実用化されている半導体レーザーの缶パッケージにおいて活性層に垂直な方向が薄く作られているため、回転することができない場合などでは、ディスク状光記録媒体でのスポットサイズを調整することが困難であった。
また、上述したような、アナモルフィックプリズムなどの比較的高価なビーム整形素子を用いると、コスト高を招来し、また装置の小型化、薄型化を図り難いという問題がある。
【０００７】
本発明は、上述の問題に鑑みて、少なくとも波長４００ｎｍ以上４１５ｎｍ以下の光を用いて記録及び／又は再生を行う光記録媒体を含む光記録媒体に適用可能な光学ピックアップ装置、光記録再生装置において、ビーム形状整形素子を用いることなく、光記録媒体の記録トラックに最適な形状でビームスポットを照射することを目的とする。
【課題を解決するための手段】
【０００８】
上記課題を解決するため、本発明は、光源に半導体レーザーを備え、その活性層に平行な方向が光記録媒体の盤面に略平行に配置される場合に、半導体レーザーから出射される光線を光記録媒体の盤面に略垂直な方向に反射面により反射した後、対物レンズを介して光記録媒体に、少なくとも波長４００ｎｍ以上４１５ｎｍ以下の光を照射して記録及び／又は再生を行う光学ピックアップ装置であって、上記反射面に入射する光線の方向と上記光記録媒体の記録トラックの延長方向とのなす角度θが、
４５°≦θ＜９０°
とされて成ることを特徴とする。
また、本発明は、上述の光学ピックアップ装置において、上記角度θが、
４５°≦θ≦５５°
とされて成ることを特徴とする。
【０００９】
更に、本発明は、上述の各光学ピックアップ装置において、上記半導体レーザーから出射される光の活性層に垂直なファーフィールドパターンの広がり角をθ⊥とし、上記活性層と平行なファーフィールドパターンの広がり角をθ//とすると、
２≦θ⊥／θ//≦４
とされて成ることを特徴とする。
【００１０】
また、本発明は、光源に半導体レーザーを備え、その活性層に平行な方向が光記録媒体の盤面に略平行に配置される場合に、半導体レーザーから出射される光線を光記録媒体の盤面に略垂直な方向に反射面により反射した後、対物レンズを介して光記録媒体に、少なくとも波長４００ｎｍ以上４１５ｎｍ以下の光を照射して記録及び／又は再生を行う光学ピックアップ装置を有する光記録再生装置であって、上記反射面に入射する光線の方向と上記光記録媒体の記録トラックの延長方向とのなす角度θが、
４５°≦θ＜９０°
とされて成ることを特徴とする。
更に、本発明は、上述の光記録再生装置において、上記角度θが、
４５°≦θ≦５５°
とされて成ることを特徴とする。
【００１１】
また、本発明は、光源に半導体レーザーを備え、その活性層に平行な方向が光記録媒体の盤面に略平行に配置される場合に、半導体レーザーから出射される光線を光記録媒体の盤面に略垂直な方向に反射面により反射した後、対物レンズを介して光記録媒体に、少なくとも波長４００ｎｍ以上４１５ｎｍ以下の光を照射して記録及び／又は再生を行う光記録再生方法であって、上記反射面に入射する光線の方向と上記光記録媒体の記録トラックの延長方向とのなす角度θを、
４５°≦θ＜９０°
とすることを特徴とする。
また、本発明は、上述の光記録再生方法において、上記角度θを、
４５°≦θ≦５５°
とすることを特徴とする。
【００１２】
上述の本発明による光学ピックアップ装置、光記録再生装置及び光記録再生方法によれば、波長４００ｎｍ以上４１５ｎｍ以下の光を照射して記録及び／又は再生を行ういわゆるＢＤ型構成において、半導体レーザーを回転することに自由度がない場合でも、あるいはビーム整形素子を用いなくても光記録媒体の記録トラック上に形成されるビームスポット形状を、記録トラックに沿ういわゆるタンジェンシャル方向にビームスポット径を小さくするのではなく、このタンジェンシャル方向から４５°以上傾いた方向にビームスポット径を小さく配置する構成とするものである。
このようなビームスポット形状とすることによって、上述のＢＤ型構成の光記録媒体において、クロストーク、クロスライトを抑制し、良好な記録再生特性をもって記録及び／又は再生を行うことができる。
更に、このタンジェンシャル方向から傾斜する角度θを、４５°以上５５°以下に選定するときには、ＢＤ型構成の光記録媒体のみではなく、他のＤＶＤ型及びＣＤ型等の光記録媒体と互換性を有する光学ピックアップ装置及び光記録再生装置において、各光記録媒体に対して良好な記録再生特性をもって記録及び／又は再生を行うことができる。
【発明の効果】
【００１３】
以上説明したように、本発明は、光源に半導体レーザーを備え、その活性層に平行な方向が光記録媒体の盤面に略平行に配置される場合に、半導体レーザーから出射される光線を光記録媒体の盤面に略垂直な方向に反射面により反射した後、対物レンズを介して光記録媒体に、少なくとも波長４００ｎｍ以上４１５ｎｍ以下の光を照射して記録及び／又は再生を行う光学ピックアップ装置、光記録再生装置及び光記録再生方法であって、上記反射面に入射する光線の方向と上記光記録媒体の記録トラックの延長方向とのなす角度θを、４５°≦θ＜９０°とすることによって、波長４００ｎｍ以上４１５ｎｍ以下の光を照射して記録及び／又は再生を行う光記録媒体に対し、良好な記録再生特性を得ることができる。
また、更に上記角度θを、４５°≦θ≦５５°とすることによって、他の波長帯域の光を照射して記録及び／又は再生を行う光記録媒体に対しても、良好な記録再生特性を得ることができる。
【００１４】
また、上述の光学ピックアップ装置において、半導体レーザーから出射される光の活性層に垂直なファーフィールドパターンの広がり角をθ⊥とし、活性層と平行なファーフィールドパターンの広がり角をθ//とすると、２≦θ⊥／θ//≦４として、その方向を上述の方向に選定することができるため、良好な記録再生特性を得ることができる。
【発明を実施するための最良の形態】
【００１５】
以下本発明を実施するための最良の形態の例を説明するが、本発明は以下の例に限定されるものではない。
先ず、本発明に適用して好適な光記録再生装置及び光学ピックアップ装置の一例について図１及び図２の概略構成図を参照して説明する。
図１に示すように、この光記録再生装置１００は、外筐１０２内に所要の各部材及び各機構が配置されて成り、この外筐１０２には、図示しないが例えばディスク状の光記録媒体１０の挿入口が設けられて成る。
そして外筐１０２内に配置されたシャーシ（図示せず）に光記録媒体１０を移動させる例えばスピンドルモータが取り付けられ、このモータ軸に例えばディスクテーブル１０３が固定される。
シャーシには、平行なガイド軸１０４、１０４が取り付けられると共に図示しない送りモータによって回転されるリードスクリュー１０５が支持されている。
【００１６】
この光記録再生装置１００の光学ピックアップ装置４０は、移動ベース１０７とこの移動ベース１０７に設けられた所要の光学部品と、移動ベース１０７上に配置された対物レンズ駆動装置１０８とを有し、移動ベース１０７の両端部に設けられた軸受け部１０７ａ、１０７ｂがそれぞれガイド軸１０４、１０４に摺動自在に支持されている。対物レンズ駆動装置１０８は、可動部１０８ａと固定部１０８ｂとを有し、可動部１０８ａが固定部１０８ｂに図示しないサスペンションを介して移動自在に支持されている。移動ベース１０７に設けられた図示しないナット部材がリードスクリュー１０５に螺合され、送りモータによってリードスクリュー１０５が回転されると、ナット部材がリードスクリュー１０５の回転方向へ応じた方向へ送られ、光学ピックアップ装置４０がディスクテーブル１０３に装着される光記録媒体１０の半径方向に移動可能とされる。
【００１７】
このような構成の光記録再生装置１００において、スピンドルモータの回転に伴ってディスクテーブル１０３が回転されると、このディスクテーブル１０３に装着された光記録媒体１０、すなわちＢＤ、ＤＶＤ又はＣＤ等が回転され、同時に上述の機構により光学ピックアップ装置４０は、光記録媒体１０の半径方向へ移動されて、光記録媒体１０の記録面全面に対向するように移動可能とされ、所定トラック位置において記録動作又は再生動作が行われる。このとき、対物レンズ駆動装置１０８の可動部１０８ａが固定部１０８ｂに対して移動され、可動部１０８ａに設けられた後述する対物レンズのフォーカシング調整及びトラッキング調整が行われる。
【００１８】
本発明による光記録再生装置１００及び光学ピックアップ装置４０に用いる光記録媒体１０としては、例えばＢＤ、ＤＶＤ、ＣＤ等があげられる。これらの光記録媒体１０のレーザー光の使用波長は、ＤＶＤが６３０ｎｍ以上６７０ｎｍ以下、ＣＤが７６０ｎｍ以上８００ｎｍ以下、ＢＤが４００ｎｍ以上４１５ｎｍ以下とされる。
【００１９】
まず、第１の実施の形態の例として、ＢＤ型構成の光記録媒体に対する記録及び／又は再生を行う光学ピックアップ装置の一例について、図２の概略構成図を参照して説明する。この場合、光学ピックアップ装置４０は、図２に示すように、例えば光源４１、ビームスプリッタ４５、コリメータレンズ４６、ミラー４４、立ち上げミラー４８、対物用のレンズ３、コンバージョンレンズ４９、受光素子５０を少なくとも備え、対物レンズ３以外は上述の図１において説明した移動ベース１０７に配置され、対物レンズ３は前述の図１において説明した対物レンズ駆動装置１０８の可動部１０８ａに設けられている。図２において、図１と対応する部分には同一符号を付して重複説明を省略する。
【００２０】
光源４１からは、ＢＤ型光記録媒体に対応する４００ｎｍ以上４１５ｎｍ以下の例えば約４０５ｎｍのレーザー光Ｌａ１が出射される。
ビームスプリッタ４５は、偏光方向の違いにより入射されたレーザー光を透過又は反射させる機能を有し、往路におけるレーザー光がスプリット面を透過されてコリメータレンズ４６に入射され、復路におけるレーザー光がスプリット面で反射されて受光素子５０へ向かう。
【００２１】
コリメータレンズ４６により平行光とされたレーザー光は、一旦ミラー４４により反射され、光記録媒体の記録トラックの延長方向に沿ういわゆるタンジェンシャル方向（矢印ｔで示す）から、光記録媒体の矢印ｒで示すラジアル方向（半径方向）に向かって角度θをもった実線ａで示す方向に光軸を変換される。
この角度θは、
４５°≦θ＜９０°
とされる。
【００２２】
その後、レーザー光は、立ち上げミラー４８の反射面により図２の紙面に略垂直な方向、すなわち光記録媒体の盤面に略垂直な方向に光路を略９０°変換されて、図示しないが１／４波長板により偏光方向を変換され、また所定の収差補正素子等を介して対物レンズ３により、光記録媒体上の所定記録トラック位置上に集光される。
そして、光記録媒体から反射されたレーザー光は、対物レンズ３等を介して１／４波長板（図示せず）に入射されて再び偏光方向を変換され、立ち上げミラー４８、ミラー４４に反射されてコリメータレンズ４６を透過した後、上述したように、偏光ビームスプリッタ４５のスプリット面により反射されて、コンバージョンレンズ４９を介して矢印Ｌａ２で示すように、受光素子５０の所定位置に入射され、図示しないが所定の検出機構により信号が検出される。
【００２３】
この光学ピックアップ装置４０において、光源４１としては半導体レーザーが用いられ、そのレーザー光が、活性層に垂直なファーフィールドパターン（ＦＦＰ）の広がり角をθ⊥とし、活性層と平行なＦＦＰの広がり角をθ//とすると、
２≦θ⊥／θ//≦４
である半導体レーザーを用いることによって、所望の略楕円形状のビームスポット形状とすることができる。
【００２４】
また、この活性層と平行なＦＦＰの広がる方向、すなわち活性層と平行な方向が、光学ピックアップ装置４０の主要な光学系が配置される移動ベース１０７の移動方向を含む移動面と平行な平面、すなわち光記録媒体の盤面に沿う方向に略平行に、光源４０を配置する。
【００２５】
このとき、光源４１から出射されるレーザー光のファーフィールドパターンは、θ⊥方向、すなわちビームの略長軸方向が光記録媒体の盤面と直交する方向となる。ここで、半導体レーザー光源から出射して立ち上げミラー４８に入射する光線を、光記録媒体の記録トラックの延長方向すなわち矢印ｔに沿う方向から角度θの実線ａで示す方向に選定する。この角度θは、
４５°≦θ＜９０°
として構成することによって、レーザー光のθ⊥方向を、光記録媒体上にて上述したようにタンジェンシャル方向から４５°≦θ＜９０°の範囲に配置することができる。
【００２６】
このときの、光記録媒体の記録トラック表面上のビームスポット形状の概略構成を図３に模式的に示す。
光記録媒体１０の所定の記録トラック１２に集光されるビームスポットＳは、一点鎖線ａで示すその短軸方向（半導体レーザー出射光のθ⊥方向）が、記録トラック１２の延長方向である一点鎖線ｔで示すタンジェンシャル方向から、４５°≦θ＜９０°の角度θをもって傾いた配置とされる。一点鎖線ｒはラジアル方向（半径方向）、一点鎖線ａ´はビームスポットＳの長軸方向を示す。
なお、ビームの強度分布は、対物レンズを通過することによって、９０°変換され、光記録媒体の信号記録面でのビームスポットの強度分布は長軸と短軸が逆転する。
このような記録トラック上のビームスポット形状とすることによって、信号記録面でのビームスポットの短軸方向をタンジェンシャル方向０°から４５°の範囲に選定する場合と比較して、隣接するトラックとのクロストーク、クロスライトを確実に抑制することができて、記録再生特性を良好に保持することができる。
【００２７】
次に、光記録媒体としてＢＤ型光記録媒体の他、使用波長が７６０ｎｍ以上８００ｎｍ以下とされるＣＤ型光記録媒体、使用波長が６３０ｎｍ以上６７０ｎｍ以下とされるＤＶＤ型の光記録媒体の少なくとも一方との互換性を有する光学ピックアップ装置、光記録再生装置に本発明を適用した場合の実施の形態の例について、図４を参照して説明する。図４において、図２と対応する部分には同一符号を付して重複説明を省略する。
【００２８】
この光学ピックアップ装置４０は、図１において説明した構成の光記録再生装置１００に設置される構成とし得る。
図４に示すように、この場合、例えば波長約４０５ｎｍのレーザー光を出射する第１の光源４１Ａと、例えば波長約６６０ｎｍのレーザー光と波長約７８０ｎｍのレーザー光とを出射する２つの発光素子を有する第２の光源４１Ｂとを設ける例を示す。この第２の光源４１Ｂから出射されたレーザー光Ｌｂ１は、コリメータレンズ４２により平行光とされ、偏光ビームスプリッタ４３のスプリット面で反射されて、光路合成素子４４に入射される。光路合成素子４４は、第1の光源４１Ａから出射されるＢＤ型光記録媒体に対応するレーザー光Ｌａ１を略９０°の角度をもって反射し、第２の光源４１Ｂから出射されるＣＤ、ＤＶＤ型光記録媒体に対応するレーザー光Ｌｂ１を透過する構成とする。
【００２９】
光路合成素子４７により光路を略同一とされたレーザー光は、立ち上げミラー４８により光路を略９０°変換されて光記録媒体に直交する方向に出射され、図示しないが１／４波長板、収差補正素子等を介して対物レンズ４８により光記録媒体の所定の記録トラック上に集光されることは前述の図２において説明した例と同様である。
【００３０】
そして、光記録媒体１０から反射されたＣＤ、ＤＶＤ型構成の光記録媒体に対応するレーザー光は、対物レンズ３等を介して図示しない１／４波長板に入射されて再び偏光方向を変換され、立ち上げミラー４８に反射され、光路合成素子４７を透過した後、偏光ビームスプリッタ４３のスプリット面を透過して、コリメータレンズ５１、ミラー５２、コンバージョンレンズ５３を介して受光素子５４の所定位置に入射され、図示しないが所定の検出機構により信号が検出される。
【００３１】
このように、ＣＤ型及びＤＶＤ型構成の光記録媒体のうち少なくとも一方の光記録媒体と互換性を有する光学ピックアップ装置４０、光記録再生装置を構成する場合は、光記録媒体の記録トラック上に照射するビームスポットの短軸方向ａを、タンジェンシャル方向ｔから、
４５°≦θ≦５５°
とすることが望ましい。
このように、ＣＤ型光記録媒体やＤＶＤ型光記録媒体の少なくとも一方の光記録媒体との互換性を有する構成とする場合、ＣＤ、ＤＶＤ等においては、比較的トラックピッチが大きく、ビームスポットがラジアル方向に傾いていてもクロストーク、クロスライトはあまり問題とならない。むしろ、特にＣＤ、ＤＶＤ等においては、タンジェンシャル方向の記録マーク間のジッターの増大化を抑制するために、従来はタンジェンシャル方向からビームスポットの短軸方向の傾斜を４５°未満としており、本実施の形態の例においても大幅に傾斜させないことが望ましい。このため、ビームスポットの短軸方向の傾斜角度θは、上述したように、４５°≦θ≦５５°の範囲に選定することによって、記録再生特性の低下を回避することができる。
これにより、ＣＤ型及び／又はＤＶＤ型構成の光記録媒体と、ＢＤ型構成の光記録媒体とに対し、良好に記録再生特性を保持することが可能な光学ピックアップ装置、光記録再生装置を提供することが可能となる。
【００３２】
以上説明したように、本発明の光学ピックアップ装置、光記録再生装置及び光記録再生方法によれば、半導体レーザーを回転することに自由度がない場合でも、あるいはビーム整形素子を用いなくても、ビームスポット形状の傾斜角度を適切に選定することによって、より安定した良好な記録再生特性を保持することができる。
また、更に傾斜角度範囲を選定することによって、ＣＤ、ＤＶＤ等との互換性を有する光学ピックアップ装置、光記録再生装置を構成する場合においても、各光記録媒体に対して良好な記録再生特性を保持することが可能となる。
【００３３】
なお、本発明は上述の実施の形態の例において説明した例に限定されるものではなく、その他光記録再生装置、光学ピックアップ装置の構成において、光学部品の配置、また図示を省略した種々の光学素子、制御機構等において各種の変更や追加が可能であり、本発明構成を逸脱しない範囲において、種々の変形、変更が可能であることはいうまでもない。
【図面の簡単な説明】
【００３４】
【図１】本発明による光記録再生装置の一例の概略構成図である。
【図２】本発明による光学ピックアップ装置の一例の概略構成図である。
【図３】光記録媒体の記録トラック上のビームスポット形状を示す概略構成図である。
【図４】本発明による光学ピックアップ装置の一例の概略構成図である。
【符号の説明】
【００３５】
３．対物レンズ、１０．光記録媒体、１２．記録トラック、４０．光学ピックアップ装置、４１．光源、４１Ａ．第１の光源、４１Ｂ．第２の光源、４２．コリメータレンズ、４３．偏光ビームスプリッタ、４４．ミラー、４５．偏光ビームスプリッタ、４６．コリメータレンズ、４８．立ち上げミラー、４９．コンバージョンレンズ、５０．受光素子、５１．コリメータレンズ、５２．ミラー、５３．コンバージョンレンズ、５４．受光素子、１００．光記録再生装置、１０２．外筐、１０３．ディスクテーブル、１０４．ガイド軸、１０５．リードスクリュー、１０７．移動ベース、１０７ａ．軸受部、１０７ｂ．軸受部、１０８．対物レンズ駆動装置、１０８ａ．可動部、１０８ｂ．固定部、１１８．対物レンズ
【図１】
2006048794.tif 000003
【図２】
2006048794.tif 000004
【図３】
2006048794.tif 000005
【図４】
2006048794.tif 000006